(57)【特許請求の範囲】
【請求項１】
移動局装置と、在圏可能時間を設定された第１の基地局装置と、第２の基地局装置とを有する移動通信システムにおいて、
前記移動局装置または前記第１の基地局装置は、
前記移動局装置が前記第１の基地局装置に位置登録されてから、前記在圏可能時間に応じた時間が経過したことを検出する時間検出部
を備え、
前記時間検出部が前記在圏可能時間に応じた時間が経過したことを検出し、かつ、前記移動局装置と前記第１の基地局装置とが通信中であるときは、前記移動局装置と前記第１の基地局装置との通信接続を、前記移動局装置と前記第２の基地局装置との通信接続へと切り替えるハンドオーバを行う、
移動通信システム。
【請求項２】
前記第１の基地局装置は、前記移動局装置の位置登録を行う際に、前記移動局装置に前記在圏可能時間を通知する在圏可能時間通知部を備え、
前記時間検出部は、前記移動局装置が備える、
請求項１に記載の移動通信システム。
【請求項３】
前記移動局装置は、前記時間検出部が前記在圏可能時間に応じた時間が経過したことを検出し、かつ、当該移動局装置と前記第１の基地局装置とが通信中であるときは、前記第１の基地局装置にハンドオーバ要求を通知するハンドオーバ要求通知部を備える、請求項２に記載の移動通信システム。
【請求項４】
前記移動局装置は、
前記第１の基地局装置および前記第２の基地局装置を含む基地局装置各々が送信する信号の受信レベルを測定する受信レベル測定部と、
前記受信レベル測定部が測定した受信レベルを示す情報を前記第１の基地局装置に通知する測定結果報告部と
を備え、
前記測定結果報告部は、前記時間検出部による検出に基づき、前記在圏可能時間に応じた時間が経過したこと示す情報を、前記第１の基地局装置に報告する、
請求項２に記載の移動通信システム。
【請求項５】
前記移動局装置は、
前記第１の基地局装置および前記第２の基地局装置を含む基地局装置各々が送信する信号の受信レベルを測定する受信レベル測定部と、
前記受信レベル測定部が測定した受信レベルを示す情報を前記第１の基地局装置に通知する測定結果報告部と
を備え、
前記測定結果報告部は、前記時間検出部が前記在圏可能時間に応じた時間が経過したことを検出すると、前記第１の基地局装置の信号の受信レベルに負のオフセットを加えて報告する、
請求項２に記載の移動通信システム。
【請求項６】
前記時間検出部は、前記第１の基地局装置が備える、請求項１に記載の移動通信システム。
【請求項７】
位置登録されてから在圏可能時間に応じた時間が経過したことを検出する移動局装置と通信し、前記在圏可能時間を設定された基地局装置であって、
前記移動局装置の位置登録を行う際に、前記移動局装置に前記在圏可能時間を通知する在圏可能時間通知部
を備え、
前記移動局装置が前記在圏可能時間に応じた時間が経過したことを検出し、かつ、前記移動局装置と当該基地局装置とが通信中であるときは、前記移動局装置と当該基地局装置との通信接続を、前記移動局装置と他の基地局装置との通信接続へと切り替えるハンドオーバを行う、
基地局装置。
【請求項８】
移動局装置と通信し、在圏可能時間を設定された基地局装置であって、
前記移動局装置が当該基地局装置に位置登録されてから、前記在圏可能時間に応じた時間が経過したことを検出する時間検出部
を備え、
前記時間検出部が前記在圏可能時間に応じた時間が経過したことを検出し、かつ、前記移動局装置と当該基地局装置とが通信中であるときは、前記移動局装置と当該基地局装置との通信接続を、前記移動局装置と他の基地局装置との通信接続へと切り替えるハンドオーバを行う、
基地局装置。
【請求項９】
在圏可能時間を設定され、移動局装置の位置登録を行う際に前記在圏可能時間を通知する基地局装置と通信する移動局装置であって、
当該移動局装置が前記基地局装置に位置登録されてから、前記在圏可能時間に応じた時間が経過したことを検出する時間検出部
を備え、
前記時間検出部が前記在圏可能時間に応じた時間が経過したことを検出し、かつ、当該移動局装置と前記基地局装置とが通信中であるときは、当該移動局装置と前記基地局装置との通信接続を、当該移動局装置と他の基地局装置との通信接続へと切り替えるハンドオーバを行う、
移動局装置。
【請求項１０】
移動局装置が基地局装置に位置登録されてから、在圏可能時間に応じた時間が経過したことを検出する時間検出部を備え、在圏可能時間を設定された基地局装置と通信する移動局装置であって、
前記時間検出部が前記在圏可能時間に応じた時間が経過したことを検出し、かつ、当該移動局装置と前記基地局装置とが通信中であるときは、当該移動局装置と前記基地局装置との通信接続を、当該移動局装置と他の基地局装置との通信接続へと切り替えるハンドオーバを行う、
移動局装置。
【請求項１１】
移動局装置と、在圏可能時間を設定された第１の基地局装置と、第２の基地局装置とを有する移動通信システムにおけるハンドオーバ方法であって、
前記移動局装置または前記第１の基地局装置が、前記移動局装置が前記第１の基地局装置に位置登録されてから、前記在圏可能時間に応じた時間が経過したことを検出する第１の過程と
前記第１の過程にて前記在圏可能時間に応じた時間が経過したことを検出し、かつ、前記移動局装置と前記第１の基地局装置とが通信中であるときは、前記移動局装置と前記第１の基地局装置との通信接続を、前記移動局装置と前記第２の基地局装置との通信接続へと切り替えるハンドオーバを行う第２の過程と
を有する、ハンドオーバ方法。
【発明の詳細な説明】
【技術分野】
【０００１】
本発明は、移動通信システム、基地局装置、移動局装置およびハンドオーバ方法に関する。
本願は、２００９年５月２７日に、日本に出願された特願２００９−１２７８９３号に基づき優先権を主張し、その内容をここに援用する。
【背景技術】
【０００２】
移動体通信の規格であるＷ−ＣＤＭＡ（Wideband Code Division Multiple Access；広帯域符号分割多元接続）、ＬＴＥ（Long Term Evolution；（第３世代の）長期進化）、ＬＴＥ−Ａ（LTE-Advance；ＬＴＥの発展）において、サービスエリアの拡張、個人使用等を目的に、小型の無線基地局Ｈｏｍｅ  （ｅ）ＮｏｄｅＢを導入することが検討されている。Ｈｏｍｅ  （ｅ）ＮＢでは、基地局へのアクセスを許容するＵＥ（User Equipment；移動局装置）を制限することができ、制限がかけられた基地局をＣＳＧ（Closed Subscriber Group；特定契約者用基地局装置）と呼ぶ。このＣＳＧについては、現在、３ＧＰＰ（3rd Generation Partnership Project；第３世代パートナーシッププロジェクト）において標準化が進められている。
以下で、ＣＳＧに関する３ＧＰＰの規格について説明する。【０００３】
ＣＳＧへの接続可否は、ＣＳＧの所有者またはオペレーターが、移動局装置ごとに任意に設定することができる。また、接続可能とする移動局装置に対してＣＳＧへの接続を許容する期間（以降、在圏可能時間と表す）を設定することができる。在圏可能時間はＮｅｔｗｏｒｋ側で管理され、移動局装置には通知されることはない（非特許文献２）。在圏可能時間が満了すると、その移動局装置はＣＳＧセルへの在圏が許容されなくなる。さらに、３ＧＰＰ  Ｒｅｌ−８の規格では、在圏可能時間満了時に通信中であった場合、その通信呼は強制的に切断するとされている（非特許文献１、３）。【０００４】
ＣＳＧへの接続可否の情報が変更されると、該当移動局装置に対してその情報が通知される。この情報に基づいて移動局装置の保持する接続許可ＣＳＧリスト（ａｌｌｏｗｅｄ  ＣＳＧ  ｌｉｓｔ）が更新されることになる。ただし、接続許可ＣＳＧリストの詳細な更新手順は、３ＧＰＰにおいて未定義である。
ＣＳＧへの接続可否の判定は、移動局装置がＣＳＧセルを検出した際に、以下の３ステップで実施される。
ステップ１）ＣＳＧセルのシステム情報（Ｓｙｓｔｅｍ  ｉｎｆｏｒｍａｔｉｏｎ）で報知されているＣＳＧ識別情報（ＣＳＧ  ｉｄｅｎｔｉｔｙ）を取得する。
ステップ２）移動局装置が保持している接続許可ＣＳＧリスト内に、受信したＣＳＧ識別情報が含まれるかを確認する。
ステップ３）含まれる場合、そのＣＳＧセルへの接続が可能であると判定する。含まれない場合、そのＣＳＧセルへの接続は許容されていないと判定する。
【先行技術文献】
【非特許文献】
【０００５】
【非特許文献１】3GPP TS 22.011 :“Service accessibility”
【非特許文献２】3GPP S1-080531 “LS on CSG requirements for UTRA/E-UTRA” (3GPP SA1#40)
【非特許文献３】3GPP S1-080661 “Reply LS on CSG requirements for UTRA/E-UTRA” (3GPP SA1#40)
【発明の概要】
【発明が解決しようとする課題】
【０００６】
しかしながら、上述のＣＳＧのように、在圏可能時間を設定された基地局装置を用いた移動通信システムにおいては、在圏可能時間を設定された基地局装置と移動局装置とが在圏可能時間満了時点に通信中であった場合、ユーザにとって予期しない呼切断が発生することになるという問題がある。【０００７】
本発明は、このような事情に鑑みてなされたもので、その目的は、在圏可能時間を設定された基地局装置と移動局装置とが在圏可能時間満了時点に通信中のときに発生する呼切断を抑制する移動通信システム、基地局装置、移動局装置およびハンドオーバ方法を提供することにある。
【課題を解決するための手段】
【０００８】
（１）この発明は上述した課題を解決するためになされたもので、本発明の移動通信システムは、移動局装置と、在圏可能時間を設定された第１の基地局装置と、第２の基地局装置とを有する移動通信システムにおいて、前記移動局装置または前記第１の基地局装置は、前記移動局装置が前記第１の基地局装置に位置登録されてから、前記在圏可能時間に応じた時間が経過したことを検出する時間検出部を備え、前記時間検出部が前記在圏可能時間に応じた時間が経過したことを検出し、かつ、前記移動局装置と前記第１の基地局装置とが通信中であるときは、前記移動局装置と前記第１の基地局装置との通信接続を、前記移動局装置と前記第２の基地局装置との通信接続へと切り替えるハンドオーバを行う。【０００９】
（２）また、本発明の移動通信システムは、上述の移動通信システムであって、前記第１の基地局装置は、前記移動局装置の位置登録を行う際に、前記移動局装置に前記在圏可能時間を通知する在圏可能時間通知部を備え、前記時間検出部は、前記移動局装置が備える。【００１０】
（３）また、本発明の移動通信システムは、上述の移動通信システムであって、前記移動局装置は、前記時間検出部が前記在圏可能時間に応じた時間が経過したことを検出し、かつ、当該移動局装置と前記第１の基地局装置とが通信中であるときは、前記第１の基地局装置にハンドオーバ要求を通知するハンドオーバ要求通知部を備える。【００１１】
（４）また、本発明の移動通信システムは、上述の移動通信システムであって、前記移動局装置は、前記第１の基地局装置および前記第２の基地局装置を含む基地局装置各々が送信する信号の受信レベルを測定する受信レベル測定部と、前記受信レベル測定部が測定した受信レベルを示す情報を前記第１の基地局装置に通知する測定結果報告部とを備え、前記測定結果報告部は、前記時間検出部による検出に基づき、前記在圏可能時間に応じた時間が経過したこと示す情報を、前記第１の基地局装置に報告する。【００１２】
（５）また、本発明の移動通信システムは、上述の移動通信システムであって、前記移動局装置は、前記第１の基地局装置および前記第２の基地局装置を含む基地局装置各々が送信する信号の受信レベルを測定する受信レベル測定部と、前記受信レベル測定部が測定した受信レベルを示す情報を前記第１の基地局装置に通知する測定結果報告部とを備え、前記測定結果報告部は、前記時間検出部が前記在圏可能時間に応じた時間が経過したことを検出すると、前記第１の基地局装置の信号の受信レベルに負のオフセットを加えて報告する。【００１３】
（６）また、本発明の移動通信システムは、上述の移動通信システムであって、前記時間検出部は、前記第１の基地局装置が備える。【００１４】
（７）また、本発明の基地局装置は、位置登録されてから在圏可能時間に応じた時間が経過したことを検出する移動局装置と通信し、前記在圏可能時間を設定された基地局装置であって、前記移動局装置の位置登録を行う際に、前記移動局装置に前記在圏可能時間を通知する在圏可能時間通知部を備え、前記移動局装置が前記在圏可能時間に応じた時間が経過したことを検出し、かつ、前記移動局装置と当該基地局装置とが通信中であるときは、前記移動局装置と当該基地局装置との通信接続を、前記移動局装置と他の基地局装置との通信接続へと切り替えるハンドオーバを行う。【００１５】
（８）また、本発明の基地局装置は、移動局装置と通信し、在圏可能時間を設定された基地局装置であって、前記移動局装置が当該基地局装置に位置登録されてから、前記在圏可能時間に応じた時間が経過したことを検出する時間検出部を備え、前記時間検出部が前記在圏可能時間に応じた時間が経過したことを検出し、かつ、前記移動局装置と当該基地局装置とが通信中であるときは、前記移動局装置と当該基地局装置との通信接続を、前記移動局装置と他の基地局装置との通信接続へと切り替えるハンドオーバを行う。【００１６】
（９）また、本発明の移動局装置は、在圏可能時間を設定され、移動局装置の位置登録を行う際に前記在圏可能時間を通知する基地局装置と通信する移動局装置であって、当該移動局装置が前記基地局装置に位置登録されてから、前記在圏可能時間に応じた時間が経過したことを検出する時間検出部を備え、前記時間検出部が前記在圏可能時間に応じた時間が経過したことを検出し、かつ、当該移動局装置と前記基地局装置とが通信中であるときは、当該移動局装置と前記基地局装置との通信接続を、当該移動局装置と他の基地局装置との通信接続へと切り替えるハンドオーバを行う。【００１７】
（１０）また、本発明の移動局装置は、移動局装置が基地局装置に位置登録されてから、在圏可能時間に応じた時間が経過したことを検出する時間検出部を備え、在圏可能時間を設定された基地局装置と通信する移動局装置であって、前記時間検出部が前記在圏可能時間に応じた時間が経過したことを検出し、かつ、当該移動局装置と前記基地局装置とが通信中であるときは、当該移動局装置と前記基地局装置との通信接続を、当該移動局装置と他の基地局装置との通信接続へと切り替えるハンドオーバを行う。【００１８】
（１１）また、本発明のハンドオーバ方法は、移動局装置と、在圏可能時間を設定された第１の基地局装置と、第２の基地局装置とを有する移動通信システムにおけるハンドオーバ方法であって、前記移動局装置または前記第１の基地局装置が、前記移動局装置が前記第１の基地局装置に位置登録されてから、前記在圏可能時間に応じた時間が経過したことを検出する第１の過程と前記第１の過程にて前記在圏可能時間に応じた時間が経過したことを検出し、かつ、前記移動局装置と前記第１の基地局装置とが通信中であるときは、前記移動局装置と前記第１の基地局装置との通信接続を、前記移動局装置と前記第２の基地局装置との通信接続へと切り替えるハンドオーバを行う第２の過程とを有する。
【発明の効果】
【００１９】
この発明によれば、時間検出部が在圏可能時間に応じた時間が経過したことを検出し、かつ、移動局装置と第１の基地局装置とが通信中であるときは、移動局装置と第１の基地局装置との通信接続を、移動局装置と第２の基地局装置との通信接続へと切り替えるハンドオーバを行うので、在圏可能時間満了時点で第１の基地局装置と移動局装置とが通信中のときに発生する呼切断を抑制する。
【図面の簡単な説明】
【００２０】
【図１】この発明の第１の実施形態による移動通信システム１００の構成を示す概念図である。
【図２】同実施形態における移動通信システム１００の構成を示す概略ブロック図である。
【図３】同実施形態における位置登録時の動作を説明するシーケンス図である。
【図４】同実施形態におけるハンドオーバ時の動作を説明するシーケンス図である。
【図５】この発明の第２の実施形態における移動通信システム１００ａの構成を示す概略ブロック図である。
【図６】同実施形態におけるハンドオーバ時の動作を説明するシーケンス図である。
【図７】この発明の第３の実施形態における移動通信システム１００ｂの構成を示す概略ブロック図である。
【図８】同実施形態におけるハンドオーバ時の動作を説明するシーケンス図である。
【図９】同実施形態におけるタイマー満了後にハンドオーバを行わないときのシーケンス図である。
【図１０】この発明の第４の実施形態における移動通信システム１００ｃの構成を示す概略ブロック図である。
【図１１】同実施形態におけるハンドオーバ時の動作を説明するシーケンス図である。
【発明を実施するための形態】
【００２１】
［第１の実施形態］
以下、図面を参照して、本発明の第１の実施形態について説明する。図１は、この発明の一実施形態による移動通信システム１００の構成を示す概念図である。本実施形態による移動通信システム１００は、基地局装置３０（第２の基地局装置）と、基地局装置３０のセルＢ内に設置された特定契約者用基地局装置２０（第１の基地局装置）と、特定契約者用基地局装置２０のセルＡに在圏している移動局装置１０とを有する。本実施形態では、基地局装置３０のセルＢと特定契約者用基地局装置２０のセルＡとは、領域が重複しており、その重複している領域に移動局装置１０は位置している。
【００２２】
特定契約者用基地局装置２０は、３ＧＰＰにおいて標準化が進められているＣｌｏｓｅｄ  Ｓｕｂｓｃｒｉｂｅｒ  Ｇｒｏｕｐであり、設定されている特定の契約者の移動局装置１０のみが通信接続することができる。また、特定契約者用基地局装置２０は、在圏可能時間τが設定されており、移動局装置１０が特定契約者用基地局装置２０に位置登録されてから、予め設定されている在圏可能時間τが経過すると、その移動局装置１０が特定契約者用基地局装置２０に接続可能な移動局装置として設定されている特定の契約者の移動局装置１０であっても、通信接続を禁止する。さらに、在圏可能時間τが経過したときに、移動局装置１０と特定契約者用基地局装置２０とが通信中であるときは、特定契約者用基地局装置２０は、該通信接続を強制的に切断する。
【００２３】
図２は、本実施形態における移動通信システム１００の構成を示す概略ブロック図である。図２に示すように、移動通信システム１００は、移動局装置１０、特定契約者用基地局装置２０、基地局装置３０を具備する。移動局装置１０は、アンテナ１１、無線送信部１２、無線受信部１３、通信制御部１４を具備する。通信制御部１４は、時間監視部１５、ハンドオーバ要求通知部１６、ハンドオーバ処理部１７を具備する。
【００２４】
特定契約者用基地局装置２０は、アンテナ２１、無線送信部２２、無線受信部２３、通信部２４、通信制御部２５を具備する。通信制御部２５は、在圏可能時間通知部２６、ハンドオーバ前処理部２７、ハンドオーバ先通知部２８を具備する。基地局装置３０は、アンテナ３１、通信部３２、無線送信部３３、無線受信部３４、通信制御部３５を具備する。通信制御部３５は、ハンドオーバ前処理部３６、ハンドオーバ処理部３７を具備する。
【００２５】
また、特定契約者用基地局装置２０の通信部２４と、基地局装置３０の通信部３２とは、ネットワーク４０を介して接続されている。ネットワーク４０は、インターネット、移動通信システム１００のコアネットワークなどからなるネットワークであるが、これに限定されない。また、ここでは、特定契約者用基地局装置２０と基地局装置３０とは、ネットワーク４０を介して通信するとして説明するが、これに限らず例えば、各々のアンテナ２１、３１を介して無線通信するようにしてもよい。
【００２６】
移動局装置１０に関して、アンテナ１１は、特定契約者用基地局２０および基地局装置３０と無線通信するためのアンテナである。無線送信部１２は、通信制御部１４の制御に従い、通信データＤ１および通信制御部１４からの制御データを、変調およびアップコンバートして、特定契約者用基地局装置２０または基地局装置３０に、アンテナ１１を介して無線送信する。無線受信部１３は、特定契約者用基地局装置２０または基地局装置３０からの信号を、アンテナ１１を介して受信し、ダウンコンバートおよび復調して通信データＤ２と制御データとを得て、制御データを通信制御部１４に出力する。通信制御部１４およびその構成要素は、無線送信部１２または無線受信部１３を介して、特定契約者用基地局装置２０または基地局装置３０と通信するが、以下では、その記載を省略する。
【００２７】
通信制御部１４は、無線送信部１２および無線受信部１３を制御する。例えば、通信制御部１４は、在圏可能時間に応じた時間が経過したことを検出し、かつ、当該移動局装置１０と特定契約者用基地局装置２０とが通信中であるときは、移動局装置１０と特定契約者用基地局装置との通信接続を、移動局装置１０と基地局装置３０との通信接続へと切り替えるハンドオーバを行う。通信制御部１４の詳細は、後述する。
【００２８】
時間監視部１５は、タイマーを備える。時間監視部１５は、特定契約者用基地局装置２０への位置登録の際に、特定契約者用基地局装置２０から受信した在圏可能時間τに応じた時間をタイマーに設定し、該タイマーの満了により、当該移動局装置１０が特定契約者用基地局装置２０に位置登録されてから在圏可能時間τに応じた時間が経過したことを検出する。ここで、在圏可能時間τに応じた時間とは、例えば、在圏可能時間τから予め設定された値を引いた値や、在圏可能時間τに０から１の間の予め決められた値をかけた値である。本実施形態では、後述するように、在圏可能時間τに応じた時間として、在圏可能時間τから、ハンドオーバを行うのに十分な時間を引いた値を用いる。
【００２９】
ハンドオーバ要求通知部１６は、時間監視部１５が在圏可能時間τに応じた時間が経過したことを検出し、かつ、当該移動局装置と特定契約者用基地局装置２０とが通信中であるときは、特定契約者用基地局装置２０にハンドオーバ要求を通知する。
ハンドオーバ処理部１７は、特定契約者用基地局装置２０から制御データとして送信されたハンドオーバ指示を受けて、基地局装置３０へのハンドオーバ処理を行なう。ハンドオーバ処理部１７は、ハンドオーバ処理の最後に、基地局装置３０にハンドオーバ完了を通知する。また、ハンドオーバの処理手順などは、本発明の要旨から外れるので、ここでは詳細な説明を省略する。なお、ハンドオーバの処理手順としては、公知のものを用いることができる。
【００３０】
特定契約者用基地局装置２０に関して、アンテナ２１は、移動局装置１０と無線通信するためのアンテナである。無線送信部２２は、通信制御部２５の制御に従い、通信データＤ３および通信制御部２５からの制御データを、変調およびアップコンバートして、移動局装置１０に、アンテナ２１を介して無線送信する。無線受信部２３は、移動局装置１０からの信号を、アンテナ２１を介して受信し、ダウンコンバートおよび復調して通信データＤ４と制御データとを得て、制御データを通信制御部２５に出力する。通信部２４は、ネットワーク４０を介して、基地局装置３０と通信する。通信制御部２５およびその構成要素は、無線送信部２２または無線受信部２３を介して、移動局装置１０と通信するが、以下では、その記載を省略する。また、通信制御部２５およびその構成要素は、通信部２４を介して基地局装置３０と通信するが、以下では、その記載を省略する。
【００３１】
通信制御部２５は、無線送信部２２、無線受信部２３および通信部２４を制御する。例えば、通信制御部２５は、設定されている特定の契約者の移動局装置１０の識別情報を記憶しており、通信接続してきた移動局装置１０の識別情報と、記憶している識別情報とを照合し、照合の結果、一致したときには、通信接続を許可する。なお、通信制御部２５の詳細は、後述する。
【００３２】
在圏可能時間通知部２６は、移動局装置１０の位置登録を行う際に、移動局装置１０に予め設定されていた在圏可能時間τを通知する。
ハンドオーバ前処理部２７は、移動局装置１０からハンドオーバ要求を受けると、通信部２４およびネットワーク４０を介して基地局装置３０と通信し、基地局装置３０との間でハンドオーバの前処理を行う。ここで、ハンドオーバの前処理とは、特定契約者用基地局装置２０の周囲に設置された基地局装置３０と通信して、移動局装置１０と通信接続可能な基地局装置３０を選択して、該選択した基地局装置３０を識別する情報をハンドオーバ先通知部２８に出力する。ハンドオーバ先通知部２８は、ハンドオーバ前処理部２７から受けた基地局装置３０を識別する情報を含むハンドオーバ指示を移動局装置１０に通知する。
【００３３】
基地局装置３０に関して、アンテナ３１は、移動局装置１０と無線通信するためのアンテナである。通信部３２は、ネットワーク４０を介して、特定契約者用基地局装置２０と通信する。無線送信部３３は、通信制御部３５の制御に従い、通信データＤ５および通信制御部３５からの制御データを、変調およびアップコンバートして、移動局装置１０に、アンテナ３１を介して無線送信する。無線受信部３４は、移動局装置１０からの信号を、アンテナ３１を介して受信し、ダウンコンバートおよび復調して通信データＤ６と制御データとを得て、制御データを通信制御部３５に出力する。
【００３４】
通信制御部３５は、通信部３２および無線送信部３３、無線受信部３４を制御する。通信制御部３５およびその構成要素は、無線送信部３３または無線受信部３４を介して、移動局装置１０と通信するが、以下では、その記載を省略する。また、通信制御部３５およびその構成要素は、通信部３２を介して特定契約者用基地局装置２０と通信するが、以下では、その記載を省略する。
ハンドオーバ前処理部３６は、特定契約者用基地局装置２０と通信し、特定契約者用基地局装置２０との間でハンドオーバの前処理を行う。ハンドオーバ処理部３７は、移動局装置１０と通信し、特定契約者用基地局装置２０と通信している移動局装置１０を、当該基地局装置３０と通信するように変更するハンドオーバ処理をする。
【００３５】
図３は、本実施形態における位置登録時の動作を説明するシーケンス図である。移動局装置１０は、接続が許可されている特定契約者用基地局装置２０の信号に遭遇（受信）すると、位置登録処理を開始する。なお、移動局装置１０の通信制御部１４が、特定契約者用基地局装置２０に対して、位置登録要求（例えば、Ｗ−ＣＤＭＡにおけるLocation update request、Routing area update request、Tracking area update requestなど）を送信することで位置登録処理を開始する（Ｓａ１）。
【００３６】
また、通信制御部１４は、上述の遭遇した信号の特定契約者用基地局装置２０との接続が許可されているか否かの判定を、遭遇した信号から取得した特定契約者用基地局装置２０の識別情報が接続許可ＣＳＧリストに登録されているか否かに基づき判定する。なお、接続許可ＣＳＧリストは、通信制御部１４が記憶しており、当該移動局装置１０が接続を許可されている特定契約者用基地局装置２０の識別情報のリストである。また、移動局装置１０は、例えば、ＳＩＭカード（Subscriber Identity Module Card）など、フラッシュメモリなどの書き換え可能なメモリを具備する着脱可能なモジュールを備え、接続許可ＣＳＧリストは、該モジュールのメモリが記憶していてもよい。このモジュールが、ＳＩＭカードなど契約者を特定するモジュールであるときは、該モジュールのメモリが記憶している接続許可ＣＳＧリストは、該モジュールによって特定される契約者が接続を許可されている特定契約者用基地局装置２０の識別情報のリストであってもよい。
【００３７】
上述の位置登録要求を受信すると、特定契約者用基地局装置２０の通信制御部２５は、移動局装置１０の位置登録を行う。さらに、通信制御部２５の在圏可能時間通知部２６は、予め設定された在圏可能時間τを含む位置登録承諾を、移動局装置１０に通知する（Ｓａ２）。なお、この位置登録承諾には、例えば、Ｗ−ＣＤＭＡにおけるLocation update accept、Routing area update accept、Tracking area update acceptなどを用いる。
移動局装置１０の時間監視部１５は、位置登録承諾を受信すると、位置登録承諾に含まれる在圏可能時間τを抽出する。時間監視部１５は、抽出した在圏可能時間τに応じた値を設定したタイマーを起動する（Ｓａ４）。そして、移動局装置１０は待ち受け状態となる（Ｓａ３）。ここで、在圏可能時間τに応じた値は、在圏可能時間τから予め決められた値ｔUEを引いた値である。なお、値ｔUEはハンドオーバを完了させるのに十分な時間であり、τ＞ｔUE≧０を満たす値である。
【００３８】
図４は、本実施形態におけるハンドオーバ時の動作を説明するシーケンス図である。時間監視部１５がタイマーを起動してから時間τ−ｔUEが経過してタイマーが満了すると（Ｓｂ１）、時間監視部１５は、タイマーの満了をハンドオーバ要求通知部１６に通知する。ハンドオーバ要求通知部１６は、タイマー満了の通知を受けると、当該移動局装置１０の現在の通信状態を判定する。判定の結果が通信中であったときは、ハンドオーバ要求通知部１６は、特定契約者用基地局装置２０にハンドオーバ要求を通知する（Ｓｂ２）。
【００３９】
特定契約者用基地局装置２０のハンドオーバ前処理部２７は、このハンドオーバ要求を受信すると、基地局装置３０とハンドオーバ前処理を行う（Ｓｂ３）。このハンドオーバ前処理では、特定契約者用基地局装置２０は、基地局装置３０が移動局の収容数に余裕があるかなど、移動局装置１０がハンドオーバして基地局装置３０と通信可能か否かを確認する。このハンドオーバ前処理の結果、通信可能であることが確認できたときは、ハンドオーバ先通知部２８は、ハンドオーバ先として基地局装置３０を指定するハンドオーバ指示であって、ハンドオーバを行う際に用いる基地局装置３０に関する情報を含むハンドオーバ指示を移動局装置１０に送信する（Ｓｂ４）。
【００４０】
ハンドオーバ指示を受信すると、移動局装置１０のハンドオーバ処理部１７は、ハンドオーバ指示から基地局装置３０に関する情報を抽出する。さらにハンドオーバ処理部１７は、ハンドオーバ指示により指定された基地局装置３０をハンドオーバ先とするハンドオーバ処理を、先に抽出した情報を用いて行う（Ｓｂ５）。このハンドオーバ処理は、ハンドオーバ処理部１７が、基地局装置３０のハンドオーバ処理部３７と通信することで行われる。ハンドオーバ処理が終了すると、移動局装置１０のハンドオーバ処理部１７は、ハンドオーバ完了を基地局装置３０に通知する（Ｓｂ６）。
【００４１】
なお、ステップＳｂ１のタイマー満了時のハンドオーバ要求通知部１６による通信状態判定の結果が通信中でないときは、移動局装置１０は在圏不可となった特定契約者用基地局装置２０から別の基地局装置３０に移行するため、特別な動作は必要ない。
また、ステップＳｂ２のハンドオーバ要求を移動局装置１０が送信する際に、移動局装置１０が周辺セルの測定を行っている場合は、ハンドオーバ要求に周辺セルの測定結果を含めても良い。この場合、特定契約者用基地局装置２０のハンドオーバ前処理部２７がハンドオーバ先を決定する際に、移動局装置１０から受信した測定結果を使用することができる。
【００４２】
なお、ステップＳｂ４のハンドオーバ指示、ステップＳｂ６のハンドオーバ完了は、既存のシステムでハンドオーバ処理を実施する際に使用するＲｅｃｏｎｆｉｇｕｒａｔｉｏｎメッセージをそのまま使用する。例えば、Ｗ−ＣＤＭＡであれば、ハンドオーバ指示にＴＲＡＮＳＰＯＲＴ  ＣＨＡＮＮＥＬ  ＲＥＣＯＮＦＩＧＵＲＡＴＩＯＮを用い、ハンドオーバ完了にＴＲＡＮＳＰＯＲＴ  ＣＨＡＮＮＥＬ  ＲＥＣＯＮＦＩＧＵＲＡＴＩＯＮ  ＣＯＭＰＬＥＴＥに用いたり、ハンドオーバ指示にＰＨＹＳＩＣＡＬ  ＣＨＡＮＮＥＬ  ＲＥＣＯＮＦＩＧＵＲＡＴＩＯＮを用い、ハンドオーバ完了にＰＨＹＳＩＣＡＬ  ＣＨＡＮＮＥＬ  ＲＥＣＯＮＦＩＧＵＲＡＴＩＯＮ  ＣＯＭＰＬＥＴＥを用いたりする。
【００４３】
このように、移動局装置１０の時間監視部１５が、位置登録を行ってから在圏可能時間τに応じた時間が経過したことを検出し、このとき移動局装置１０と特定契約者用基地局装置２０とが通信中のときは、ハンドオーバ要求通知部１６が特定契約者用基地局装置２０にハンドオーバ要求を通知するので、移動局装置１０は基地局装置３０にハンドオーバすることができ、在圏可能時間満了時点で特定契約者用基地局装置２０と移動局装置１０とが通信中のときに呼切断が発生するのを抑制することができる。
【００４４】
［第２の実施形態］
以下、図面を参照して、本発明の第２の実施形態について説明する。第１の実施形態では移動局装置１０主導でハンドオーバを行うために、既存の規格にない新たなメッセージであるハンドオーバ要求を使用しているが、第２の実施形態では、既存の規格にある測定報告を利用してハンドオーバを実施する。
【００４５】
図５は、本実施形態における移動通信システム１００ａの構成を示す概略ブロック図である。同図において、図２に対応する部分には、同一の符号（１１〜１３、１５、１７、２１〜２４、２６〜２８、３０〜３７、４０）を付し、説明を省略する。移動通信システム１００ａは、移動局装置１０ａ、特定契約者用基地局装置２０ａ（第１の基地局装置）、基地局装置３０を有する。本実施形態でも、基地局装置３０のセルＢと特定契約者用基地局装置２０ａのセルＡとは、領域が重複しており、その重複している領域に移動局装置１０ａがある。
【００４６】
移動局装置１０aは、アンテナ１１、無線送信部１２、無線受信部１３、通信制御部１４ａ、受信レベル測定部４１ａを具備する。通信制御部１４ａは、時間監視部１５、ハンドオーバ処理部１７、報告条件判定部４２ａ、測定結果報告部４３ａを有する。特定契約者用基地局装置２０ａは、アンテナ２１、無線送信部２２、無線受信部２３、通信部２４、通信制御部２５ａを具備する。通信制御部２５ａは、在圏可能時間通知部２６、ハンドオーバ前処理部２７、ハンドオーバ先通知部２８、測定要求通知部２９ａを具備する。
【００４７】
また、特定契約者用基地局装置２０ａの通信部２４と、基地局装置３０の通信部３２とは、ネットワーク４０を介して接続されている。ネットワーク４０は、インターネット、移動通信システム１００ａのコアネットワークなどからなるネットワークであるが、これに限定されない。また、ここでは、特定契約者用基地局装置２０ａと基地局装置３０とは、ネットワーク４０を介して通信するとして説明するが、これに限らず例えば、各々のアンテナ２１、３１を介して無線通信するようにしてもよい。
【００４８】
通信制御部１４ａおよびその構成要素は、無線送信部１２または無線受信部１３を介して、特定契約者用基地局装置２０ａまたは基地局装置３０と通信するが、以下では、その記載を省略する。通信制御部２５ａおよびその構成要素は、無線送信部２２または無線受信部２３を介して、移動局装置１０ａと通信するが、以下では、その記載を省略する。
【００４９】
受信レベル測定部４１ａは、無線受信部２３が受信した特定契約者用基地局装置２０ａおよび基地局装置３０からの信号の受信レベルを測定する。この受信レベルの測定、特に特定契約者用基地局装置２０ａおよび基地局装置３０からの信号の受信レベルの測定は、例えば、Ｗ−ＣＤＭＡにおける周波数内測定（ｉｎｔｒａ−ｆｒｅｑｕｅｎｃｙ  ｍｅａｓｕｒｅｍｅｎｔ）、周波数間測定（ｉｎｔｅｒ−ｆｒｅｑｕｅｎｃｙ  ｍｅａｓｕｒｅｍｅｎｔ）、および無線アクセス技術間測定（ｉｎｔｅｒ−ＲＡＴ（Ｒａｄｉｏ  Ａｃｃｅｓｓ  Ｔｅｃｈｎｏｌｏｇｙ）  ｍｅａｓｕｒｅｍｅｎｔ）である。
【００５０】
報告条件判定部４２ａは、予め設定された報告条件を満たしているか否かを判定し、満たしていると判定したときは、受信レベル測定部４０ａが測定した受信レベルを示す情報の通知を測定結果報告部４３ａに指示する。ここで、報告条件は、すくなくとも、時間監視部１５が在圏可能時間τに応じた時間が経過（すなわち、タイマー満了）したことを検出していることを含み、該条件を満たしているときは、受信レベルを示す情報とともに、タイマーが満了したことを示す情報の通知を測定結果報告部４３ａに指示する。
測定結果報告部４３ａは、報告条件判定部４２ａの指示に従い、受信レベル測定部４１ａが測定した受信レベルを示す情報および在圏可能時間τに応じた時間が経過したことを示す情報を特定契約者用基地局装置２０ａに通知する。
【００５１】
Ｗ−ＣＤＭＡなど、従来の規格における測定イベントでは、周辺セル（基地局装置３０のセルに相当）が現在在圏しているセル（特定契約者用基地局装置２０ａに相当）の受信レベルを超えるなどの報告条件を満たした(すなわち、イベントを検出した)場合のみ、移動局装置から測定結果が報告される。しかしながら、本発明で想定している”タイマー満了時”に、周辺セル（基地局装置３０のセル）、および、現在在圏しているセル（特定契約者用基地局装置２０ａ）の受信レベルが、報告条件を満たしているとは限らないため、従来の測定イベントをそのまま使用することはできない。
【００５２】
そこで、本実施形態では、移動局装置１０ａの報告条件判定部４２ａに、時間監視部１５のタイマー満了を報告条件とする新たな測定イベントを追加する。従来の規格では、移動局装置の周辺セル測定は基地局装置からの指示で開始される。そこで、本動作を実現するために、特定契約者用基地局装置２０ａの測定要求通知部２９ａは、システム情報（System information）あるいは測定制御(例えば、Ｗ−ＣＤＭＡではＭＥＡＳＵＲＥＭＥＮＴ  ＣＯＮＴＲＯＬ)で、追加した新たな測定イベントの移動局装置１０ａへの設定を指示する測定要求を通知する。
【００５３】
図６は、本実施形態におけるハンドオーバ時の動作を説明するシーケンス図である。なお、本実施形態においても、第１の実施形態と同様に移動局装置１０ａと特定契約者用基地局装置２０ａとの間で位置登録を行うが、図３に示したシーケンスと同様なので、説明を省略する。また、図６において、図４と同じシーケンスには同一の符号（Ｓｂ１、Ｓｂ３〜Ｓｂ６）を付し、詳細な説明を省略する。まず、特定契約者用基地局装置２０ａの測定要求通知部２９ａが、システム情報などの報知情報、あるいは、測定制御により、新たな測定イベントの設定を指示する測定要求（ＭｅａｓｕｒｅｍｅｎｔＣｏｎｔｒｏｌ）を、移動局装置１０ａへ通知する（Ｓｃ１）。
【００５４】
時間監視部１５のタイマーが満了すると（Ｓｂ１）、報告条件判定部４２ａは、タイマー満了の測定イベントが発生し、報告条件を満たしていると判定し、測定結果報告部４３ａに、受信レベルを示す情報と在圏可能時間τに応じた時間が経過したことを示す情報との通知を指示する。測定結果報告部４３aは、該指示に従い、在圏可能時間τに応じた時間が経過したこと（ｅｖｅｎｔ  ｔｉｍｅｒ満了）を示す情報を含む測定結果報告（ＭＥＡＳＵＲＥＭＥＮＴ  ＲＥＰＯＲＴ）を、特定契約者用基地局装置２０ａに通知する（Ｓｃ２）。特定契約者用基地局装置２０ａの通信制御部２５ａは、移動局装置１０ａと通信中であるか否かに基づき、ハンドオーバを行なうか否かを判定する。ハンドオーバを行なうと判定したときは、移動局装置１０ａから受信した測定結果報告の内容によって、ハンドオーバ先のセルを決定する。
【００５５】
なお、通信制御部２５ａは、ハンドオーバを行うかどうかを、通信中であるか否かに加えて、測定結果報告の内容に基づき判定してもよい。従来の規格では、ハンドオーバを行うか否かの判定方法について定義されていないが、実運用では、移動局装置から測定イベントの報告があったとき、周期報告の内容が通信中のセルより、周辺セルの受信レベルが高くなったときが、ハンドオーバを行うための判定に用いられている。次に、決定したセルの基地局装置（ここでは、基地局装置３０）にハンドオーバするためのハンドオーバ前処理をハンドオーバ前処理部２７が行う（Ｓｂ３）。以降、図４と同様に、シーケンスＳｂ４〜６をおこなう。
【００５６】
従来のＬＴＥやＷ−ＣＤＭＡでの測定結果の報告には、イベント時報告（event trigger）と周期報告（periodic report）の２種類が定義されている。イベント時報告では、報告条件(受信レベルがある閾値を超えた等)が基地局装置から移動局装置に設定される。この設定を受けた移動局装置は、周辺セルを測定した結果が前述の報告の条件を満たしていた場合に、イベントが発生したとして、基地局装置に測定結果報告を通知する。一方、周期報告では、報告回数、周期が基地局装置から移動局装置に設定される。この設定を受けた移動局装置は、該設定に基づいて周期的に測定結果報告を通知する。
【００５７】
第２の実施形態では、イベント時報告の報告条件に、タイマー満了という新たな測定イベントを追加し、特定契約者用基地局装置２０ａが設定するとして説明した。しかし、測定イベントとして追加しなくても、タイマー満了が発生したら、現在の受信レベルに因らず、その時点で測定済みの受信レベルを報告するようにしてもよいし、受信レベルを示す情報を、周期報告するようにしてもよい。これらの場合、タイマー満了が発生しているときは、測定結果報告内でタイマー満了による報告であること、あるいは、タイマー満了が発生していることを示す情報を通知する。
【００５８】
この場合、特定契約者用基地局装置２０ａは、移動局装置１０ａからの測定結果報告により実際の受信状況を知ることができる。これにより、周辺セルの受信レベルが低く、セル移行後の通信が特定契約者用基地局装置２０ａへの干渉を引き起こすような場合は、ハンドオーバを行わないようにしても良い。
【００５９】
このように、移動局装置１０ａの時間監視部１５が、位置登録を行ってから在圏可能時間τに応じた時間が経過したことを検出し、該検出結果を受けた特定契約者用基地局装置２０ａの通信制御部２５ａは、移動局装置１０ａと特定契約者用基地局装置２０ａとが通信中のときは、移動局装置１０ａを基地局装置３０にハンドオーバさせるので、第１の実施形態と同様に、在圏可能時間満了時点で特定契約者用基地局装置２０ａと移動局装置１０ａとが通信中のときに呼切断が発生するのを抑制することができる。
【００６０】
［第３の実施形態］
以下、図面を参照して、本発明の第３の実施形態について説明する。第２の実施形態では、新たな測定イベントを追加することで、すなわち、既存のメッセージに新たな情報を追加することで本発明を実現する方法を示したが、第３の実施形態では、既存メッセージを変更せずに本発明を実現する。
【００６１】
図７は、本実施形態における移動通信システム１００ｂの構成を示す概略ブロック図である。同図において、図５に対応する部分には、同一の符号（１１〜１３、１５、１７、２１〜２４、２６〜２８、３０〜３７、４０、４１ａ）を付し、説明を省略する。移動通信システム１００ｂは、移動局装置１０ｂ、特定契約者用基地局装置２０ｂ（第１の基地局装置）、基地局装置３０を有する。本実施形態でも、基地局装置３０のセルＢと特定契約者用基地局装置２０ｂのセルＡとは、領域が重複しており、その重複している領域に移動局装置１０ｂがある。
【００６２】
移動局装置１０ｂは、アンテナ１１、無線送信部１２、無線受信部１３、通信制御部１４ｂ、受信レベル測定部４１ａを具備する。通信制御部１４ｂは、時間監視部１５、ハンドオーバ処理部１７、報告条件判定部４２ｂ、測定結果報告部４３ｂを有する。特定契約者用基地局装置２０ｂは、アンテナ２１、無線送信部２２、無線受信部２３、通信部２４、通信制御部２５ｂを具備する。通信制御部２５ｂは、在圏可能時間通知部２６、ハンドオーバ前処理部２７、ハンドオーバ先通知部２８、測定要求通知部２９ｂを具備する。
【００６３】
また、特定契約者用基地局装置２０ｂの通信部２４と、基地局装置３０の通信部３２とは、ネットワーク４０を介して接続されている。ネットワーク４０は、インターネット、移動通信システム１００ｂのコアネットワークなどからなるネットワークであるが、これに限定されない。また、ここでは、特定契約者用基地局装置２０ｂと基地局装置３０とは、ネットワーク４０を介して通信するとして説明するが、これに限らず例えば、各々のアンテナ２１、３１を介して無線通信するようにしてもよい。
【００６４】
報告条件判定部４２ｂは、予め設定された報告条件を満たしているか否かを判定し、満たしていると判定したときは、受信レベル測定部４1ａが測定した受信レベルを示す情報の通知を測定結果報告部４３ｂに指示する。ここで、予め設定された報告条件は、例えば、受信レベル測定部４1ａが測定した在圏中のセルの受信レベルが予め設定された判定閾値以下であり、かつ、周辺セルの受信レベルが予め設定された周辺セル用判定閾値以上であることである。よって、報告条件は、タイマー満了前は、（１）式で表すことができる。
Ｑａ≦Ｔａ  かつ  ＱＭ≧ＴＭ  ・・・・・（１）
但し、Ｑａは在圏中のセルの受信レベル、Ｔａは予め設定された判定閾値、ＱＭは周辺セルの受信レベル、ＴＭは予め設定された周辺セル用判定閾値である。
【００６５】
さらに、報告条件判定部４２ｂは、タイマー満了後、すなわち、時間監視部１５が在圏可能時間τに応じた時間が経過したことを検出した後は、受信レベル測定部４1ａが測定した受信レベルのうち、特定契約者用基地局装置２０ｂの信号の受信レベルに負のオフセットを加えて、予め設定された報告条件を満たしているか否かを判定し、測定結果報告部４３ｂに指示する受信レベルも負のオフセットを加えたものとする。
【００６６】
よって、報告条件は、タイマー満了後は、（２）式で表すことができる。
Ｑａ＋Ｏｆｆｓｅｔ≦Ｔａ  かつ  ＱＭ≧ＴＭ  ・・・・・（２）
但し、Ｏｆｆｓｅｔは負のオフセット（Ｏｆｆｓｅｔ＜０）である。なお、使用するオフセットは特定契約者用基地局装置２０ｂから移動局装置１０ｂに通知しても良いし、移動局装置１０ｂが予め保持していてもよい。また、報告条件を、在圏中のセルの受信レベルを、周辺セルの受信レベルが上回ること、あるいは、予め設定された閾値よりも大きく上回ることとしてもよい。
【００６７】
測定結果報告部４３ｂは、報告条件判定部４２ｂの指示に従い、受信レベル測定部４１ａが測定した受信レベルを示す情報を特定契約者用基地局装置２０ｂに通知する。なお、測定結果報告部４３ａと異なり、在圏可能時間τに応じた時間が経過したことを示す情報の通知は行なわない。また、測定結果報告部４３ｂが通知する受信レベルを示す情報のうち、在圏中のセルの受信レベルを示す情報は、タイマー満了後は、報告条件判定部４２ｂにより負のオフセットがかけられた値を示す情報である。
【００６８】
通信制御部２５ｂは、測定結果報告を受信すると、移動局装置１０ｂと当該特定契約者用基地局装置２０ｂとが通信中であれば、移動局装置１０ｂが現在在圏中のセルの受信レベルと、周辺セルの受信レベルとに基づき、ハンドオーバを実施するか否かを決定する。このとき、ハンドオーバ実施を決定する条件は、上述の報告条件と同様であるので、タイマー満了を契機に在圏しているセルの受信レベルに負のオフセットをかけることで、ハンドオーバが発生しやすい状況をつくることが可能となる。
【００６９】
測定要求通知部２９ｂは、システム情報（System information）あるいは測定制御(例えば、Ｗ−ＣＤＭＡではＭＥＡＳＵＲＥＭＥＮＴ  ＣＯＮＴＲＯＬ)で、測定イベントの移動局装置１０ｂへの設定を指示する測定要求を通知する。該測定イベントは、イベント時報告であってもよいし、周期報告であってもよい。また、既存の規格と同様の測定イベントであり、第２の実施形態のような新たな測定イベントは特に含まない。
【００７０】
図８は、本実施形態におけるハンドオーバ時の動作を説明するシーケンス図である。なお、本実施形態においても、第１の実施形態と同様に移動局装置１０ｂと特定契約者用基地局装置２０ｂとの間で位置登録を行うが、図３に示したシーケンスと同様なので、説明を省略する。また、図８において、図６と同じシーケンスには同一の符号（Ｓｂ３〜Ｓｂ６）を付し、詳細な説明を省略する。
【００７１】
まず、特定契約者用基地局装置２０ｂの測定要求通知部２９ｂが、システム情報などの報知情報、あるいは、測定制御（ＭｅａｓｕｒｅｍｅｎｔＣｏｎｔｒｏｌ）により、測定イベントの設定を指示する測定要求を、移動局装置１０ｂへ通知する（Ｓｄ１）。ここで、設定を指示する測定イベントは、周期的に測定結果を報告する周期報告であってもよいし、在圏セルの受信レベルを周辺セルの受信レベルが上回るなど、予め決められた報告条件を満たしたときに測定結果を報告するイベント時報告であってもよい。
【００７２】
この測定要求により測定イベントを設定された報告条件判定部４２ｂは、周期報告の周期が訪れたことの検出、あるいは、報告条件を満たしていることの判定（Ｅｖｅｎｔ検出）をする（Ｓｄ２）。すると、報告条件判定部４２ｂは、受信レベルを示す情報の通知を、測定結果報告部４３ｂに指示する。このとき、時間監視部１５のタイマーが既に満了しているとき（Ｓｄ２−１）には、報告条件判定部４２ｂは、在圏中のセルの受信レベルに負のオフセットをかけて、報告条件を満たしていることの判定を行い、測定結果報告部４３ｂに通知を指示する在圏中のセルの受信レベルも、負のオフセットをかけたものとする。測定結果報告部４３ａは、この指示を受けると、測定結果報告（ＭｅａｓｕｒｅｍｅｎｔＲｅｐｏｒｔ）を特定契約者用基地局装置２０ｂに通知する（Ｓｄ３）。この測定結果報告を受けた通信制御部２５ｂは、移動局装置１０ｂと当該特定契約者用基地局装置２０ｂとが通信中であれば、移動局装置１０ｂが現在在圏中のセルの受信レベルと、周辺セルの受信レベルとに基づき、ハンドオーバを実施するか否かを決定する。以降、シーケンスＳｂ３〜Ｓｂ６が行われる。
【００７３】
図９は、本実施形態におけるタイマー満了後にハンドオーバを行わないときのシーケンス図である。図８と同様に、特定契約者用基地局装置２０ｂの測定要求通知部２９が、測定イベントの設定を指示する測定要求を、移動局装置１０ｂへ通知する（Ｓｄ１）。ここで、設定を指示する測定イベントは、イベント時報告であるとして説明する。次に、報告条件判定部４２ｂは、受信レベル測定部４０ａが測定した受信レベルに基づき、報告条件を満たしているか否かの判定をするが、ここでは、タイマーは満了している（Ｓｄ２−１）ものの、満たしていないと判定する。したがって、イベント未検出となる（Ｓｅ２）。イベント未検出のままで時間が経過し、特定契約者用基地局装置２０ｂの通信制御部２５ｂは、移動局装置１０ｂの位置登録を行ってから在圏可能時間τが経過したこと、すなわち移動局装置１０ｂの在圏可能時間が満了したことを検出する（Ｓｅ３）。通信制御部２５ｂは、当該特定契約者用基地局装置２０ｂと移動局装置１０ｂとが通信中であれば、通信呼切断を移動局装置１０ｂに通知する（Ｓｅ４）。
【００７４】
このように、位置登録を行ってから在圏可能時間τに応じた時間が経過した後は、測定結果報告部４３ｂは、在圏中のセルの受信レベルに負のオフセットを加えられた測定結果報告をするので、特定契約者用基地局装置２０ｂの通信制御部２５ｂがハンドオーバ実施を決定する条件を満たしやすくなり、在圏可能時間満了時点で特定契約者用基地局装置２０ａと移動局装置１０ａとが通信中のときに呼切断が発生するのを抑制することができる。
また、本実施形態では、移動局装置１０ｂと特定契約者用基地局装置２０ｂとの通信手順、信号および特定契約者用基地局装置２０ｂの構成を、既存の規格に従ったものとすることができる。
【００７５】
［第４の実施形態］
以下、図面を参照して、本発明の第４の実施形態について説明する。上述の第１から第３の実施形態では、移動局装置１０、１０a、１０ｂ主導でハンドオーバを行う方法を提示したが、本実施形態では、特定契約者用基地局装置主導でハンドオーバを実施する。
【００７６】
図１０は、本実施形態における移動通信システム１００ｃの構成を示す概略ブロック図である。同図において、図５に対応する部分には、同一の符号（１１〜１３、１７、２１〜２４、２７〜２８、３０〜３７、４０、４１ａ）を付し、説明を省略する。移動通信システム１００ｃは、移動局装置１０ｃ、特定契約者用基地局装置２０ｃ（第１の基地局装置）、基地局装置３０を有する。本実施形態でも、基地局装置３０のセルＢと特定契約者用基地局装置２０ｃのセルＡとは、領域が重複しており、その重複している領域に移動局装置１０ｃがある。
【００７７】
移動局装置１０ｃは、アンテナ１１、無線送信部１２、無線受信部１３、通信制御部１４ｃ、受信レベル測定部４１ａを具備する。通信制御部１４ｃは、ハンドオーバ処理部１７、報告条件判定部４２ｃ、測定結果報告部４３ｂを有する。特定契約者用基地局装置２０ｃは、アンテナ２１、無線送信部２２、無線受信部２３、通信部２４、通信制御部２５ｃを具備する。通信制御部２５ｃは、時間監視部１５ｃ、ハンドオーバ前処理部２７、ハンドオーバ先通知部２８、測定要求通知部２９ｂを具備する。
【００７８】
また、特定契約者用基地局装置２０ｃの通信部２４と、基地局装置３０の通信部３２とは、ネットワーク４０を介して接続されている。ネットワーク４０は、インターネット、移動通信システム１００ａのコアネットワークなどからなるネットワークであるが、これに限定されない。また、ここでは、特定契約者用基地局装置２０ｃと基地局装置３０とは、ネットワーク４０を介して通信するとして説明するが、これに限らず例えば、各々のアンテナ２１、３１を介して無線通信するようにしてもよい。
【００７９】
通信制御部１４ｃおよびその構成要素は、無線送信部１２または無線受信部１３を介して、特定契約者用基地局装置２０ｃまたは基地局装置３０と通信するが、以下では、その記載を省略する。通信制御部２５ｃおよびその構成要素は、無線送信部２２または無線受信部２３を介して、移動局装置１０ｃと通信するが、以下では、その記載を省略する。
【００８０】
報告条件判定部４２ｃは、予め設定された報告条件を満たしているか否かを判定し、満たしていると判定したときは、受信レベル測定部４０ａが測定した受信レベルを示す情報の通知を測定結果報告部４３ｂに指示する。ここで、予め設定された報告条件は、例えば、受信レベル測定部４０ａが測定した在圏中のセルの受信レベルが予め設定された判定閾値以下であり、かつ、周辺セルの受信レベルが予め設定された周辺セル用判定閾値以上であることである。また、報告条件を、在圏中のセルの受信レベルを、周辺セルの受信レベルが上回ること、あるいは、予め設定された閾値よりも大きく上回ることとしてもよい。
【００８１】
時間監視部１５ｃは、タイマーを備える。時間監視部１５ｃは、移動局装置１０ｃの特定契約者用基地局装置２０ｃへの位置登録処理が完了した際に、予め設定された在圏可能時間τに応じた時間を、移動局装置１０ｃと対応付けてタイマーに設定する。時間監視部１５ｃは、該タイマーの満了により、移動局装置１０ｃが特定契約者用基地局装置２０ｃに位置登録されてから在圏可能時間τに応じた時間が経過したことを検出する。ここで、在圏可能時間τに応じた時間とは、例えば、在圏可能時間τから予め設定された値ｔｅｎｂを引いた値である。このときｔｅｎｂはハンドオーバ処理を完了させるのに十分な時間であり、τ＞ｔｅｎｂ＞０の範囲で任意に設定できる。時間監視部１５ｃは、タイマーが満了すると、測定要求通知部２９ｂに、測定要求の通知を指示する。
【００８２】
通信制御部２５ｃは、測定結果報告を受信すると、移動局装置１０ｃと当該特定契約者用基地局装置２０ｃが通信中であれば、周辺セルの受信レベルに基づき、移動局装置１０ｃのハンドオーバ先候補を決定する。通信制御部２５ｃは、ハンドオーバ先候補を決定すると、ハンドオーバ前処理部２７にハンドオーバ前処理の実施を指示する。
【００８３】
図１１は、本実施形態におけるハンドオーバ時の動作を説明するシーケンス図である。なお、本実施形態においても、第１の実施形態と同様に移動局装置１０ｃと特定契約者用基地局装置２０ｃとの間で位置登録を行っているが、第１〜第３の実施形態と異なり、この際に在圏可能時間τの通知は行なわない。また、図１１において、図６と同じシーケンスには同一の符号（Ｓｂ３〜Ｓｂ６）を付し、詳細な説明を省略する。
【００８４】
時間監視部１５ｃは、移動局装置１０ｃの位置登録の際に設定したタイマーの満了を検出すると（Ｓｆ１）、測定要求通知部２９ｂに、測定要求の通知を指示する。この指示を受けた測定要求通知部２９ｂは、測定イベントの設定を指示する測定要求（ＭｅａｓｕｒｅｍｅｎｔＣｏｎｔｒｏｌ）を、移動局装置１０ｂへ通知する（Ｓｆ２）。この測定要求により測定イベントを設定された報告条件判定部４２ｃは、周期報告の周期が訪れたことの検出、あるいは、報告条件を満たしていることの判定をする。周期報告の周期が訪れたことを検出、あるいは、報告条件を満たしていると判定したときは、報告条件判定部４２ｃは、受信レベル測定部４１ａが測定した受信レベルを示す情報の通知を、測定結果報告部４３ｂに指示する。
【００８５】
この指示に従い、測定結果報告部４３ｂは、受信レベル測定部４１ａが測定した受信レベルを示す情報を含む測定結果報告（ＭｅａｓｕｒｅｍｅｎｔＲｅｐｏｒｔ）を、特定契約者用基地局装置２０ｃに通知する（Ｓｆ３）。通信制御部２５ｃは、測定結果報告を受信すると、移動局装置１０ｃと当該特定契約者用基地局装置２０ｂｃが通信中であれば、測定結果報告で通知された在圏中のセルの受信レベルと、周辺セルの受信レベルとに基づき、ハンドオーバの実施をするか否かを判定する。通信制御部２５ｃは、ハンドオーバの実施をすると判定したときは、ハンドオーバ前処理部２７にハンドオーバ前処理の実施を指示する。以降、シーケンスＳｂ３〜Ｓｂ６が行われる。
【００８６】
なお、本実施形態では、シーケンスＳｆ１のタイマー満了後、シーケンスＳｆ２、Ｓｆ３を行なっているが、タイマーが満了したら、通信制御部２５ｃが、ハンドオーバの実施をするか否かを判定し、実施をすると判定したときは、ハンドオーバ前処理部２７にハンドオーバ前処理の実施を指示するようにしてもよい。
【００８７】
このように、位置登録を行ってから在圏可能時間τに応じた時間が経過した後は、特定契約者用基地局装置２０ｂの通信制御部２５ｂがハンドオーバ実施を決定する条件を満たしやすくなり、在圏可能時間満了時点で特定契約者用基地局装置２０ａと移動局装置１０ａとが通信中のときに呼切断が発生するのを抑制することができる。
【００８８】
また、図２における通信制御部１４、通信制御部２５、通信制御部３５、および図５における通信制御部１４ａ、通信制御部２５ａ、通信制御部３５、および図７における通信制御部１４ｂ、通信制御部２５ｂ、通信制御部３５、および図１０における通信制御部１４ｃ、通信制御部２５ｃ、通信制御部３５の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００８９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９０】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００９１】
本発明は、携帯電話などの移動通信システムに用いて好適であるが、これに限定されない。
【符号の説明】
【００９２】
１０、１０ａ、１０ｂ、１０ｃ…移動局装置
１１…アンテナ
１２…無線送信部
１３…無線受信部
１４、１４ａ、１４ｂ、１４ｃ…通信制御部
１５、１５ｃ…時間監視部
１６…ハンドオーバ要求通知部
１７…ハンドオーバ処理部
２０、２０ａ、２０ｂ、２０ｃ…特定契約者用基地局装置
２１…アンテナ
２２…無線送信部
２３…無線受信部
２４…通信部
２５、２５ａ、２５ｂ、２５ｃ…通信制御部
２６…在圏可能時間通知部
２７…ハンドオーバ前処理部
２８…ハンドオーバ先通知部
２９ａ、２９ｂ…測定要求通知部
３０…基地局装置
３１…アンテナ
３２…通信部
３３…無線送信部
３４…無線受信部
３５…通信制御部
３６…ハンドオーバ前処理部
３７…ハンドオーバ処理部
４０…ネットワーク
４１ａ…受信レベル測定部
４２ａ、４２ｂ、４２ｃ…報告条件判定部
４３ａ、４３ｂ…測定結果報告部
１００、１００ａ、１００ｂ、１００ｃ…移動通信システム
【図１】
0005582579.tif 000002
【図２】
0005582579.tif 000003
【図３】
0005582579.tif 000004
【図４】
0005582579.tif 000005
【図５】
0005582579.tif 000006
【図６】
0005582579.tif 000007
【図７】
0005582579.tif 000008
【図８】
0005582579.tif 000009
【図９】
0005582579.tif 000010
【図１０】
0005582579.tif 000011
【図１１】
0005582579.tif 000012